(57)【要約】【課題】小型軽量で携帯性に優れていると共に、スペースのない場所でも身近な物を固定対象物として使用でき、高い位置からの撮影も可能である物品設置台を提供する。【解決手段】この発明の物品設置台１は、垂直・傾斜の鏡面、水平面及び、身近な対象物等に設置する支持台２と、該支持台２の底面に配設された支持部３と、物品を支承する搭載台４と、該搭載台４に配設され物品を着脱自在に搭載するための固定部５と、前記支持台２の一辺両端に備えたヒンジ７と、前記搭載台４の一辺中央に備えた軸部６と、前記搭載台４の回動を停止させる機能を持った締め付け調整ツマミ８とから構成されている。【選択図】図６
2009194780.tif 000002
【特許請求の範囲】
【請求項１】
垂直・傾斜の鏡面、水平面及び、身近な対象物等に設置する支持台と、
該支持台の底面に配設された支持部と、
物品を支承する搭載台と、
該搭載台に配設され物品を着脱自在に搭載するための固定部と、
前記支持台の一辺両端に備えたヒンジと、
前記搭載台の一辺中央に備えた軸部と、
前記搭載台の回動を停止させる機能を持った締め付け調整ツマミと
を備えたことを特徴とする物品設置台。
【請求項２】
前記支持台・搭載台・軸部・ヒンジ・締め付け調整ツマミとも、アクリル、プラスチックまたは金属等の軽量な材料により形成され、折り畳み収容時には箱型になることを特徴とする請求項１に記載の物品設置台。
【請求項３】
前記支持台は、縁部３辺を側板で連続形成し、底面正面に常着させた液晶モニター確認用鏡を備え、背面４隅にゴム等の合成樹脂で形成された滑り止めが固着され、底面に配設された前記支持部に一対の吸盤入替穴、吸盤固定穴を配し、該吸盤固定穴に横溝式吸盤または、一対の突起を備えたクリップを嵌め替え可能であることを特徴とする請求項１に記載の物品設置台。
【請求項４】
前記搭載台に配設された固定部は、カメラ取付け止めネジ入替穴を備えたスリットの中を自在に移動できるカメラ取付け止めネジを備え、スリットの周囲はラバーが固着されていることを特徴とする請求項１に記載の物品設置台。
【請求項５】
前記軸部と、該軸部を挟む様に両端に設けた前記ヒンジとを連結させ、該ヒンジの片側に前記締め付け調整ツマミを配し、前記搭載台の回動を停止させる機能を備えたことを特徴とする請求項１に記載の物品設置台。
【請求項６】
カメラ取付け止めネジには、カメラ付き携帯電話を収容するホルダが螺合されることが可能であることを特徴とする請求項４に記載の物品設置台。
【発明の詳細な説明】
【技術分野】
【０００１】
この発明は、物品を所望の位置に固定保持する物品設置台に関し、特にカメラ等の物品を手軽に設置することが出来る様にし、携帯性に優れた物品設置台に関するものである。  
【背景技術】
【０００２】
カメラ等の物品を設置する装置としては、セルフタイマー機能を用いて撮影をする際、三脚を用いるのが一般的である。
【０００３】
この三脚は、カメラ等の物品が固定される搭載台と、該搭載台から地表等に配置され、傾倒可能に長さが調整される通常３本の脚で構成されている。
【０００４】
三脚を使用時には、カメラ搭載台に配置されたカメラ取付け止めネジにカメラ底部の三脚取付け用雌ネジを螺合させることによりカメラを固定し、脚部の伸縮により所望の高さ、傾きに設置する。
【０００５】
次にカメラのセルフタイマー機能を用いてシャッターを作動させ撮影する。
【発明の開示】
【発明が解決しようとする課題】
【０００６】
しかしながら、以上の技術によれば、従来の三脚では、上述した構造上、脚部の長さを短くすれば、軽量化はできるが、搭載台に固定される物品の設置の安全性を確保するために、総じて重量は必要であり、形状に於いても携帯性に優れていないという問題があった。
また、設置場所に於いては、ある程度、平らなスペースが確保できる場所に限られ、脚部の長さによっては、カメラ等の物品の設置高さも限定されるという問題があった。
【０００７】
そこで、この発明は、上述した事情に鑑み、三脚に比べて小型軽量で携帯性に優れていると共に、スペースのない場所でも身近な物を固定対象物として使用でき、高い位置からの撮影も可能である物品設置台を提供することを目的とする。
【課題を解決するための手段】
【０００８】
課題を解決するために、請求項１の発明は、垂直・傾斜の鏡面、水平面及び、身近な対象物等に設置する支持台と、該支持台の底面に配設された支持部と、物品を支承する搭載台と、該搭載台に配設され物品を着脱自在に搭載するための固定部と、前記支持台の一辺両端に備えたヒンジと、前記搭載台の一辺中央に備えた軸部と、前記搭載台の回動を停止させる機能を持った締め付け調整ツマミとを備えたことを特徴とする物品設置台である。
【０００９】
課題を解決するために、請求項２の発明は、前記支持台・搭載台・軸部・ヒンジ・締め付け調整ツマミとも、アクリル、プラスチックまたは金属等の軽量な材料により形成され、折り畳み収容時には箱型になることを特徴とする物品設置台である。
【００１０】
課題を解決するために、請求項３の発明は、前記支持台は、縁部３辺を側板で連続形成し、底面正面に常着させた液晶モニター確認用鏡を備え、背面４隅にゴム等の合成樹脂で形成された滑り止めが固着され、底面に配設された前記支持部に一対の吸盤入替穴、吸盤固定穴を配し、該吸盤固定穴に横溝式吸盤または、一対の突起を備えたクリップを嵌め替え可能であることを特徴とする物品設置台である。
【００１１】
課題を解決するために、請求項４の発明は、前記搭載台に配設された固定部は、カメラ取付け止めネジ入替穴を備えたスリットの中を自在に移動できるカメラ取付け止めネジを備え、スリットの周囲はラバーが固着されていることを特徴とする物品設置台である。
【００１２】
課題を解決するために、請求項５の発明は、前記軸部と、該軸部を挟む様に両端に設けた前記ヒンジとを連結させ、該ヒンジの片側に前記締め付け調整ツマミを配し、前記搭載台の回動を停止させる機能を備えたことを特徴とする物品設置台である。
【発明の効果】
【００１３】
上述した物品設置台によると、支持台の底面に配設された支持部に嵌着させる横溝式吸盤または、一対の突起を備えたクリップを嵌め替えたり、外したりすることにより垂直・傾斜の鏡面、水平面及び、身近な対象物等に物品設置台を配置できる。その後、搭載台にカメラ等の物品を支承させ、支持台の底面正面に常着させた液晶モニター確認用鏡で被写体の位置を確認しながら角度、向きを調整し、撮影すれば、スペースのない場所でも身近な物を固定対象物として使用でき、高い位置からの撮影も可能である。また、不使用時は、横溝式吸盤及び、カメラ取付け止めネジを正面側から嵌め替えると、搭載台を支持台の蓋として重ね合わせ、箱型になった内部空間に収納することができる。このため、小型軽量で形状に於いても携帯性に優れている。
【発明を実施するための最良の形態】
【００１４】
以下、この発明に係る物品設置台の一実施例を詳述する。
【００１５】
図１は、この発明に係る物品設置台の一実施例を示す正面図、図２は、図１の背面図、
図３は、図１、２の斜視図である。
【００１６】
この物品設置台１は、垂直・傾斜の鏡面、水平面及び、身近な対象物等に設置する支持台２と、該支持台２の底面に配設された支持部３と、物品を支承する搭載台４と、該搭載台４に配設され物品を着脱自在に搭載するための固定部５と、前記支持台２の一辺両端に備えたヒンジ７と、前記搭載台４の一辺中央に備えた軸部６と、前記搭載台４の回動を停止させる機能を持った締め付け調整ツマミ８とから構成されている。
【００１７】
前記支持台２・搭載台４・軸部６・ヒンジ７・締め付け調整ツマミ８とも、アクリル、プラスチックまたは金属等の軽量な材料により形成され、折り畳み収容時には箱型になる仕組みである。
【００１８】
前記支持台２は、図１、３に示すように、縁部３辺を側板９で連続形成し、底面正面に後述する支持部３どおり加工し、常着させた液晶モニター確認用鏡１０を備え、図２、３に示すように、背面４隅にゴム等の合成樹脂で形成された滑り止め１１が固着されている。
【００１９】
図１、２に示すように、前記支持台２の底面に配設された支持部３に一対の吸盤入替穴３ｂ、吸盤固定穴３ａを配し、身近な対象物等に合わせて図３に示すように、吸盤固定穴３ａに横溝式吸盤２０または、一対の突起６ａを備えたクリップ６０を嵌め替え可能である。
【００２０】
図１、２に示すように、前記搭載台４に配設された固定部５は、カメラ取付け止めネジ入替穴５ｂを備えたスリット５ａの中を自在に移動できるカメラ取付け止めネジ４０を備え、スリット５ａの周囲は物品との接触面を保護するためのラバー１２が固着されている。
【００２１】
図１に示すように、前記搭載台４の一辺中央に設けた前記軸部６と、該軸部６を挟む様に前記支持台２の一辺両端に設けた前記ヒンジ７とを連結させ、該ヒンジ７の片側に前記締め付け調整ツマミ８を配し、前記搭載台４の回動を停止させる機能を備えている。
【００２２】
次に、上述した物品設置台１の作用を設置場所に応じて説明し、併せて構成をより詳細に説明する。
【００２３】
まず、上述した物品設置台１を垂直・傾斜の鏡面に設置する時には、図４の矢印Ａのように、支持台２の底面に配設された支持部３の一対の吸盤入替穴３ｂに背面から、一対の横溝式吸盤２０の取付け部２ａを挿入し、吸盤固定穴３ａへ嵌着させる。横溝式吸盤２０は合成樹脂で形成された弾性体であり、吸盤固定穴３ａに取付け部２ａが密着するために、下方向に対しての脱落が可及的に防止される。また、横溝式吸盤２０の吸着性に於いては、カメラ等の物品等の総重量より安全荷重が大きい吸盤を使用する。
【００２４】
そして、図５の矢印Ｂに示すように、一対の横溝式吸盤２０の取付け部２ａを垂直・傾斜の鏡面に吸着部２ｂの空気を抜くように加圧して物品設置台１を配置する。
【００２５】
次に、図５の矢印Ｃに示すように、搭載台４に配設された固定部５のカメラ取付け止めネジ入替穴５ｂに背面からカメラ取付け止めネジ４０のネジ部４ａを挿入し、スリット５ａの中を自在に移動させて位置決めする。このスリット５ａの形状は、カメラ各メーカーの全機種に形成されている三脚取付け雌ネジの位置に対応可能である。
【００２６】
カメラのセルフタイマー機能を用いて撮影できるように設定後、図５の矢印Ｄに示すように、カメラ取付け止めネジ４０のネジ部４ａをカメラ底面に形成された図示せぬ雌ネジに螺合させると、図６に示すように、搭載台４にカメラが固定される。
【００２７】
図６に示すように、搭載台４に固定されたカメラ配置は、支持台２の底面正面に常着させた液晶モニター確認用鏡１０にカメラの液晶モニターの画像が反射して映るため、締め付け調整ツマミ８及び、カメラ取付け止めネジ４０で被写体の位置を確認しながら角度、向きを調整できる。その後、シャッター操作を行えば、被写体がぶれることなく良好な写真撮影を行うことができる。
【００２８】
そして、物品設置台１の折り畳み収容時は、横溝式吸盤２０を背面から外し、正面から吸盤固定穴３ａに嵌め替え、カメラ取付け止めネジ４０を背面から外し、正面からスリット５ａに嵌め替え固定させる。そして、締め付け調整ツマミ８を緩め、搭載台４を支持台２の蓋として重ね合わせる。このようにすると、図７に示すように、箱型になった物品設置台１の内部空間に横溝式吸盤２０及び、カメラ取付け止めネジ４０を収納することができる仕組みである。このため、小型軽量で形状に於いても携帯性に優れている。
【００２９】
次に、物品設置台１をテープ、ベルト等の紐状の物を巻くことができる場所及び、クリップを挟める状態である場所に設置する時には、図８の矢印Ａのように、固定対象物にテープ、ベルト等の紐状の物７０を巻いておく。そして、クリップ６０をテープ、ベルト等の紐状の物７０に挟んで固定できるようにする。次に、図８の矢印Ｂに示すように、支持台２の底面に配設された支持部３の一対の吸盤入替穴３ｂに背面から、クリップ６０に設けた一対の突起６ａを挿入し、吸盤固定穴３ａへ嵌着させて物品設置台１を配置する。
【００３０】
次に、図５の矢印Ｃに示すのと同様に、搭載台４に配設された固定部５のカメラ取付け止めネジ入替穴５ｂに背面からカメラ取付け止めネジ４０のネジ部４ａを挿入し、スリット５ａの中を自在に移動させて位置決めする。
【００３１】
カメラのセルフタイマー機能を用いて撮影できるように設定後、図５の矢印Ｄに示すのと同様に、カメラ取付け止めネジ４０のネジ部４ａをカメラ底面に形成された図示せぬ雌ネジに螺合させると、図９に示すように、搭載台４にカメラが固定される。
【００３２】
図９に示すように、搭載台４に固定されたカメラ配置は、支持台２の底面正面に常着させた液晶モニター確認用鏡１０にカメラの液晶モニターの画像が反射して映るため、締め付け調整ツマミ８及び、カメラ取付け止めネジ４０で被写体の位置を確認しながら角度、向きを調整できる。その後、シャッター操作を行えば、被写体がぶれることなく良好な写真撮影を行うことができる。
【００３３】
続いて、物品設置台１をテーブル等の構築物に置いてほぼ水平な場所に設置する時には、支持台２の底面に配設された支持部３の一対の吸盤入替穴３ｂに嵌着させてある横溝式吸盤２０または、クリップ６０を外し、図１０に示すように、支持台２の背面を構築物に置いて物品設置台１を配置する。支持台２の背面４隅に固着されたゴム等の合成樹脂で形成された滑り止め１１と接する面との摩擦により、多少傾斜した面や歪な面でも安定させることが可能である。
【００３４】
次に、図１０の矢印Ｃに示すように、搭載台４に配設された固定部５のカメラ取付け止めネジ入替穴５ｂに正面からカメラ取付け止めネジ４０のネジ部４ａを挿入し、スリット５ａの中を自在に移動させて位置決めする。
【００３５】
カメラのセルフタイマー機能を用いて撮影できるように設定後、図１０の矢印Ｄに示すように、カメラ取付け止めネジ４０のネジ部４ａをカメラ底面に形成された図示せぬ雌ネジに螺合させると、図１１に示すように、搭載台４にカメラが固定される。
【００３６】
図１１に示すように、搭載台４に固定されたカメラ配置は、カメラの液晶モニターを直接見ることが不可能な位置である場合には、携帯用の手鏡でカメラの液晶モニターの画像を反射させて映るようにすることで、締め付け調整ツマミ８及び、カメラ取付け止めネジ４０で被写体の位置を確認しながら角度、向きを調整できる。その後、シャッター操作を行えば、被写体がぶれることなく良好な写真撮影を行うことができる。
【００３７】
また、上記物品設置台１の作用例では、搭載台４に配設された固定部５のカメラ取付け止めネジ入替穴５ｂにカメラ取付け止めネジ４０のネジ部４ａを挿入し、スリット５ａの中を自在に移動させて位置決めさせた。そして、カメラ取付け止めネジ４０のネジ部４ａをカメラ底面に形成された図示せぬ雌ネジに螺合させると、搭載台４にカメラが固定されるようにしたが、この発明は、上記作用例に限定されることなく、図１２、１３に示すように、カメラ取付け止めネジ４０のネジ部４ａにカメラ付携帯電話８０を収容することのできる収容ボックス５０に設けた雌ネジに螺合させるように変更してもよく、この場合は、カメラ付携帯電話８０のインカメラによるセルフタイマー機能を用いて撮影する際の物品設置台１として使用することができる。
【産業上の利用可能性】
【００３８】
以上のように、この発明は、小型軽量で携帯性に優れていると共に、スペースのない場所でも身近な物を固定対象物として使用でき、高い位置からの撮影も可能である物品設置台に適している。
【図面の簡単な説明】
【００３９】
【図１】この発明に係る物品設置台の一実施例を示す正面図。
【図２】この発明に係る物品設置台の一実施例を示す背面図。
【図３】この発明に係る物品設置台の一実施例を示す斜視図。
【図４】この発明に係る物品設置台の作用を示す図。
【図５】この発明に係る物品設置台の作用を示す図。
【図６】この発明に係る物品設置台の作用を示す図。
【図７】この発明に係る物品設置台の作用を示す図。
【図８】この発明に係る物品設置台の他の作用を示す図。
【図９】この発明に係る物品設置台の他の作用を示す図。
【図１０】この発明に係る物品設置台の作用を示す図。
【図１１】この発明に係る物品設置台の作用を示す図。
【図１２】この発明に係る物品設置台のさらに他の実施例を示す側面図。
【図１３】この発明に係る物品設置台のさらに他の実施例を示す正面図。
【符号の説明】
【００４０】
１…物品設置台
２…支持台
３…支持部
３ａ…吸盤固定穴
３ｂ…吸盤入替穴
４…搭載台
５…固定部
５ａ…スリット
５ｂ…カメラ取付け止めネジ入替穴
６…軸部
７…ヒンジ
８…締め付け調整ツマミ
９…側板
１０…液晶モニター確認用鏡
１１…滑り止め
１２…ラバー
２０…横溝式吸盤
２ａ…取付け部
２ｂ…吸着部
３０…カメラ
４０…カメラ取付け止めネジ
４ａ…ネジ部
５０…収容ボックス
６０…クリップ
６ａ…突起
７０…テープ、ベルト等の紐状の物
８０…カメラ付携帯電話
【図１】
2009194780.tif 000003
【図２】
2009194780.tif 000004
【図３】
2009194780.tif 000005
【図４】
2009194780.tif 000006
【図５】
2009194780.tif 000007
【図６】
2009194780.tif 000008
【図７】
2009194780.tif 000009
【図８】
2009194780.tif 000010
【図９】
2009194780.tif 000011
【図１０】
2009194780.tif 000012
【図１１】
2009194780.tif 000013
【図１２】
2009194780.tif 000014
【図１３】
2009194780.tif 000015